(57)【要約】【課題】各家具をリユースできるか否かの判断を適切かつ容易にできるようにすること。【解決手段】交換可能な複数の家具部品を組合わせて家具を製造する。各家具部品毎に使用状況を対応づけて管理し、使用された家具が回収されると、前記各家具部品に対応づけられた使用状況に基づいて、各家具部品毎にリユース候補となるか否かを決定し、リユース候補となった各家具部品を利用してリユース家具を提供する。【選択図】図３
2008108109.tif 000002
【特許請求の範囲】
【請求項１】
交換可能な複数の家具部品を組合わせて製造された家具をリユースするためのリユース家具の製造方法であって、
前記各家具部品に使用状況を対応づけて管理するステップと、
使用された家具を回収するステップと、
前記各家具部品に対応づけられた使用状況に基づいて、前記各家具部品毎にリユース候補となるか否かを決定するステップと、
前記リユース候補となった前記各家具部品を利用してリユース家具を提供するステップと、
とを備えたリユース家具の製造方法。
【請求項２】
請求項１記載のリユース家具の製造方法であって、
前記各家具部品毎にリユース候補となるか否かを決定するステップにおいて、
前記各家具部品に対して耐久性診断検査を実施し、その検査結果に基づいて不合格と判断されたものをリユース候補から除外する、リユース家具の製造方法。
【請求項３】
交換可能な複数の家具部品を組合わせて製造される家具をリユースするためのリユース家具の製造方法であって、
前記各家具部品に付与された識別情報に使用状況を対応づけた使用状況情報を記憶部に記憶させるステップと、
回収された家具の前記各家具部品に付与された識別情報を、入力部を通じてコンピュータ装置に入力するステップと、
前記コンピュータ装置が、前記記憶部に記憶された使用状況情報から前記入力された識別符号に応じた使用状況を抽出し、その抽出された使用状況に基づいて前記各家具部品毎にリユース候補となるか否かを決定するステップと、
とを備えたリユース家具の製造方法。
【請求項４】
交換可能な複数の家具部品を組合わせて製造される家具をリユースするためのリユース家具の製造方法であって、
前記各家具部品に取付けられるタグ装置の記憶部にその使用状況を記憶させるステップと、
前記コンピュータ装置が、前記タグ装置の記憶部に記憶された使用状況を読取り、その読取られた使用状況に基づいて前記各家具部品毎にリユース候補となるか否かを決定するステップと、
とを備えたリユース家具の製造方法。
【請求項５】
請求項１〜請求項４のいずれかに記載のリユース家具の製造方法であって、
前記使用状況として、使用期間に関する情報を含む、リユース家具の製造方法。
【請求項６】
請求項１〜請求項４のいずれかに記載のリユース家具の製造方法であって、
前記使用状況として、使用期間に関する情報に加えて、使用環境に関する情報及び使用頻度に関する情報のうち少なくとも一つを含み、
前記使用期間に、使用環境に関する情報及び使用頻度に関する情報の少なくとも一つを加味して、実質的使用相当期間を求め、その実質的使用相当期間に基づいて、前記各家具部品毎にリユース候補となるか否かを決定する、リユース家具の製造方法。
【請求項７】
交換可能な複数の家具部品を組合わせて製造される家具をリユースするためのリユース家具の製造管理システムであって、
前記各家具部品に付与された識別情報に使用状況を対応づけた使用状況情報を記憶する記憶部と、
回収された家具の前記各家具部品に付与された識別情報を入力可能な入力部と、
前記記憶部に記憶された使用状況情報から前記入力された識別符号に応じた使用状況を抽出し、その抽出された使用状況に基づいて前記各家具部品毎にリユース候補となるか否かを決定するリユース候補決定部と、
とを備えたリユース家具の製造管理システム。
【請求項８】
交換可能な複数の家具部品を組合わせて製造される家具をリユースするためのリユース家具の製造管理システムであって、
前記各家具部品に取付けられ、その使用状況を記憶する記憶部を有するタグ装置と、
前記タグ装置の記憶手段に記憶された使用状況を読取る読取部と、前記読取部を通じて読取られた使用状況に基づいて前記各家具部品毎にリユース候補となるか否かを決定するリユース候補決定部とを有するリユース候補決定コンピュータ装置と、
とを備えたリユース家具の製造管理システム。
【発明の詳細な説明】
【技術分野】
【０００１】
この発明は、家具をリユースするための技術に関する。
【背景技術】
【０００２】
従来、使用済の家具は、破棄処分されるか、又は、中古家具として販売されるのが一般的であった。
【０００３】
なお、本願発明に関連する先行技術としては、例えば特許文献１に記載のものがある。
【０００４】
【特許文献１】特開２００４−３３７８１３号公報
【発明の開示】
【発明が解決しようとする課題】
【０００５】
しかしながら、従来では、使用済の家具を全体として判断し、一部にでもリユースに適さない部分があると、家具全体を廃棄処分していた。
【０００６】
また、使用済家具の外観を目視等で観察するだけで、リユース可能か否かを判断する必要があるため、その判断が難しかった。
【０００７】
そこで、本発明は、各家具をリユースできるか否かの判断を適切かつ容易にできるようにすることを目的とする。
【課題を解決するための手段】
【０００８】
上記課題を解決するため、この発明に係るリユース家具の製造方法は、交換可能な複数の家具部品を組合わせて製造された家具をリユースするためのリユース家具の製造方法であって、前記各家具部品に使用状況を対応づけて管理するステップと、使用された家具を回収するステップと、前記各家具部品に対応づけられた使用状況に基づいて、前記各家具部品毎にリユース候補となるか否かを決定するステップと、前記リユース候補となった前記各家具部品を利用してリユース家具を提供するステップと、とを備えたものである。
【０００９】
この場合に、前記各家具部品毎にリユース候補となるか否かを決定するステップにおいて、前記各家具部品に対して耐久性診断検査を実施し、その検査結果に基づいて不合格と判断されたものをリユース候補から除外するようにしてもよい。
【００１０】
また、この発明の他のリユース家具の製造方法は、交換可能な複数の家具部品を組合わせて製造される家具をリユースするためのリユース家具の製造方法であって、前記各家具部品に付与された識別情報に使用状況を対応づけた使用状況情報を記憶部に記憶させるステップと、回収された家具の前記各家具部品に付与された識別情報を、入力部を通じてコンピュータ装置に入力するステップと、前記コンピュータ装置が、前記記憶部に記憶された使用状況情報から前記入力された識別符号に応じた使用状況を抽出し、その抽出された使用状況に基づいて前記各家具部品毎にリユース候補となるか否かを決定するステップと、とを備えたものである。
【００１１】
また、この発明に係るさらに他のリユース家具の製造方法は、交換可能な複数の家具部品を組合わせて製造される家具をリユースするためのリユース家具の製造方法であって、前記各家具部品に取付けられるタグ装置の記憶部にその使用状況を記憶させるステップと、前記コンピュータ装置が、前記タグ装置の記憶部に記憶された使用状況を読取り、その読取られた使用状況に基づいて前記各家具部品毎にリユース候補となるか否かを決定するステップと、とを備えたものである。
【００１２】
これらの場合において、前記使用状況として、使用期間に関する情報を含むとよい。
【００１３】
また、前記使用状況として、使用期間に関する情報に加えて、使用環境に関する情報及び使用頻度に関する情報のうち少なくとも一つを含み、前記使用期間に、使用環境に関する情報及び使用頻度に関する情報の少なくとも一つを加味して、実質的使用相当期間を求め、その実質的使用相当期間に基づいて、前記各家具部品毎にリユース候補となるか否かを決定するとよい。
【００１４】
また、この発明に係るリユース家具の製造管理システムは、交換可能な複数の家具部品を組合わせて製造される家具をリユースするためのリユース家具の製造管理システムであって、前記各家具部品に付与された識別情報に使用状況を対応づけた使用状況情報を記憶する記憶部と、回収された家具の前記各家具部品に付与された識別情報を入力可能な入力部と、前記記憶部に記憶された使用状況情報から前記入力された識別符号に応じた使用状況を抽出し、その抽出された使用状況に基づいて前記各家具部品毎にリユース候補となるか否かを決定するリユース候補決定部と、とを備えたものである。
【００１５】
また、この発明に係る他のリユース家具の製造管理システムは、交換可能な複数の家具部品を組合わせて製造される家具をリユースするためのリユース家具の製造管理システムであって、前記各家具部品に取付けられ、その使用状況を記憶する記憶部を有するタグ装置と、前記タグ装置の記憶手段に記憶された使用状況を読取る読取部と、前記読取部を通じて読取られた使用状況に基づいて前記各家具部品毎にリユース候補となるか否かを決定するリユース候補決定部とを有するリユース候補決定コンピュータ装置と、とを備えたものである。
【発明の効果】
【００１６】
この発明に係るリユース家具の製造方法によると、前記各家具部品に使用状況を対応づけて管理するステップと、使用された家具を回収するステップと、前記各家具部品に対応づけられた使用状況に基づいて、前記各家具部品毎にリユース候補となるか否かを決定するステップと、前記リユース候補となった前記各家具部品を利用してリユース家具を提供するステップと、を備えているため、前記各家具部品に対応づけられた使用状況に基づいて各家具をリユースできるか否かの判断を適切かつ容易に行うことができる。
【００１７】
また、前記各家具部品毎にリユース候補となるか否かを決定するステップにおいて、前記各家具部品に対して耐久性診断検査を実施し、その検査結果に基づいて不合格と判断されたものをリユース候補から除外すると、各家具対象部品に対して個別に耐久性診断検査することで、個別的に不適切な家具対象部品を排除して、より適切なリユース家具を製造することができる。
【００１８】
また、この発明の他のリユース家具の製造方法によると、前記各家具部品に付与された識別情報に使用状況を対応づけた使用状況情報を記憶部に記憶させるステップと、回収された家具の前記各家具部品に付与された識別情報を、入力部を通じてコンピュータ装置に入力するステップと、前記コンピュータ装置が、前記記憶部に記憶された使用状況情報から前記入力された識別符号に応じた使用状況を抽出し、その抽出された使用状況に基づいて前記各家具部品毎にリユース候補となるか否かを決定するステップと、を備えているため、前記各家具部品に対応づけられた使用状況に基づいて各家具をリユースできるか否かの判断を適切かつ容易に行うことができる。
【００１９】
また、この発明のさらに他のリユース家具の製造方法によると、前記各家具部品に取付けられるタグ装置の記憶部にその使用状況を記憶させるステップと、前記コンピュータ装置が、前記タグ装置の記憶部に記憶された使用状況を読取り、その読取られた使用状況に基づいて前記各家具部品毎にリユース候補となるか否かを決定するステップと、を備えているため、前記各家具部品に対応づけられた使用状況に基づいて各家具をリユースできるか否かの判断を適切かつ容易に行うことができる。
【００２０】
また、前記使用状況として、使用期間に関する情報を含むと、当該使用期間に応じて各家具をリユースできるか否かの判断を適切かつ容易に行うことができる。
【００２１】
また、前記使用状況として、使用期間に関する情報に加えて、使用環境に関する情報及び使用頻度に関する情報のうち少なくとも一つを含み、前記使用期間に、使用環境に関する情報及び使用頻度に関する情報の少なくとも一つを加味して、実質的使用相当期間を求め、その実質的使用相当期間に基づいて、前記各家具部品毎にリユース候補となるか否かを決定すると、それら使用環境や使用頻度に応じてより適切にリユース候補となるか否かを決定することができる。
【００２２】
また、この発明に係るリユース家具の製造管理システムによると、前記各家具部品に付与された識別情報に使用状況を対応づけた使用状況情報を記憶する記憶部と、回収された家具の前記各家具部品に付与された識別情報を入力可能な入力部と、前記記憶部に記憶された使用状況情報から前記入力された識別符号に応じた使用状況を抽出し、その抽出された使用状況に基づいて前記各家具部品毎にリユース候補となるか否かを決定するリユース候補決定部とを備えているため、前記各家具部品に対応づけられた使用状況に基づいて各家具をリユースできるか否かの判断を適切かつ容易に行うことができる。
【００２３】
また、この発明の他のリユース家具の製造管理システムによると、前記各家具部品に取付けられ、その使用状況を記憶する記憶部を有するタグ装置と、前記タグ装置の記憶手段に記憶された使用状況を読取る読取部と、前記読取部を通じて読取られた使用状況に基づいて前記各家具部品毎にリユース候補となるか否かを決定するリユース候補決定部とを有するリユース候補決定コンピュータ装置と、とを備えているため、前記各家具部品に対応づけられた使用状況に基づいて各家具をリユースできるか否かの判断を適切かつ容易に行うことができる。
【発明を実施するための最良の形態】
【００２４】
以下、実施形態に係るリユース家具の製造方法及びリユース家具の製造管理システムについて説明する。
【００２５】
＜１．管理対象となる家具＞
まず、リユース家具の製造方法及びリユース家具の製造管理システムの対象となる家具について説明する。図１は家具の一例である机を示す斜視図であり、図２は家具の一例である椅子を示す斜視図である。
【００２６】
対象となる家具は、オフィスや家等において仕事や衣食住のために資料される道具であり、例えば、机や椅子等である。家具には、その他の本棚やロッカー、パーティション等が含まれ得る。
【００２７】
対象となる家具は、交換可能な複数の家具部品を組合わせることによって製造されている。
【００２８】
図１に示す家具としての机を例にして説明すると、この机１０は、天板部１２と、天板部１２の左右下部に設けられた一対の脚部１４と、天板部１２の前部であって一対の脚部１４間に設けられた幕板部１６とを備えている。これらの天板部１２、一対の脚部１４及び幕板部１６は、ネジ止やボルト締、嵌め込み構造等によって組合わされており、それぞれ分解して他と交換可能とされている。つまり、本机１０においては、これらの天板部１２、一対の脚部１４及び幕板部１６が、交換可能な家具部品である。
【００２９】
また、図２に示す家具としての椅子を例にして説明すると、この椅子２０は、５本の支持部を有する脚部２１と、当該脚部２１に立設された支持パイプ部２２と、支持パイプ部２２内に組込まれた昇降用ガスシリンダ部２３と、昇降用ガスシリンダ部２３上に取付けられた椅子姿勢変更用の機構部２４と、機構部２４上に取付けられた座部２５と、座部２５の後端部に立設された背部２６と、座部２５の左右に設けられた肘置き部２７とを有している。そして、これらの各部２２〜２７が、ネジ止やボルト締、嵌め込み構造等によって組合わされており、それぞれ分解して他と交換可能とされている。つまり、これらの各脚部２１、支持パイプ部２２、昇降用ガスシリンダ部２３と、機構部２４と、座部２５、背部２６及び座部２５の左右に設けられた肘置き部２７が、交換可能な家具部品である。
【００３０】
なお、上記は一例であり、上記に挙げられた各家具部品がさらに細かく交換可能な部品により構成されていてもよい。例えば、天板部１２の表面を覆う化粧板を交換可能に取付けたり、背部２６や座部２５を覆う布地を交換可能に取付けたり、また、脚部２１や機構部２４を覆う樹脂等のカバーを交換可能に取付けてもよい。また、上記に列挙された家具部品の全てが、リユース家具の製造方法及びリユース家具の製造管理システムにおいて、使用状況と対応づけて管理される必要はない。各家具において少なくとも２つ以上の家具構成部品が使用状況と対応づけて管理されていればよい。
【００３１】
＜２．リユース家具の製造方法＞
図３はリユース家具の製造方法全体の流れを示す図である。このリユース家具の製造方法は、ステップＳ１に示すように、交換可能な複数の家具部品を組合わせて製造された家具をリユースするためのリユース家具の製造方法であり、各家具部品毎に使用状況を管理するステップＳ２と、家具を回収するステップＳ３と、各家具部品毎にリユース候補となるか否かを決定するステップＳ４と、リユース候補となった家具部品を利用してリユース家具を提供するステップＳ５とを備えている。これらの各ステップＳ１〜Ｓ５は、供給管理者側によってなされる。供給管理者には、家具の製造メーカー、家具の販売業者又は家具の賃貸業者（リース形態、レンタル形態のものを含む）とが含まれる。なお、上記各ステップＳ１〜Ｓ５は、同一主体によって行われる必要はない。また、販売又は賃貸された家具は、ユーザーによって使用される（ステップＳ１１参照）。
【００３２】
ステップＳ１では、図１や図２で例示されるように、交換可能な複数の家具部品を組合わせて家具を製造する。製造された家具は、製造メーカーから直接又は他の販売業者或は賃貸業者を介する等して間接的にユーザーに提供される。
【００３３】
家具を提供されたユーザーは、ステップＳ１１において、当該家具を使用する。
【００３４】
ステップＳ２では、前記各家具部品に使用状況を対応づけて管理する。すなわち、各家具部品には、固有の識別符号が割当てられる。この識別符号は、製造段階で付与されるものであってもよいし、ユーザーへの提供段階で付与されるものであってもよいし、またそれらの中間段階で付与されるものであってもよい。
【００３５】
この識別符号は、各家具部品自体が保持している。各家具部品が識別符号を保持する構成としては、電気的手段等により情報を保持可能なタグ装置（ＩＣタグ等）に識別符号を記憶させて各家具部品に取付ける構成や、識別符号に応じた識別表示（バーコード等）を、直接又はシール紙等を介して付する構成であってもよい。
【００３６】
そして、供給管理者側では、ユーザーより家具の使用状況に関する情報を取得し、前記各家具部品に使用状況を対応づけて管理する。ここでは、使用状況としては、使用期間に関する情報に加えて、使用環境に関する情報及び使用頻度に関する情報等を含む。
【００３７】
使用期間に関する情報は、具体的には、家具部品を製造した年月日や家具を製造した年月日、家具をユーザーに提供した年月日、家具を提供されたユーザーが実際に家具を使用開始した年月日等である。これらのうち家具部品を製造した年月日や家具を製造した年月日、家具をユーザーに提供した年月日については、供給管理者側において取得できる情報である。そして、これらの年月日情報に基づいて、後述するリユース候補を決定する時点において、使用期間を求めることができる。
【００３８】
使用環境に関する情報は、具体的には、一般的なオフィスでの使用や、実験室での使用、工場での使用、屋外での使用、一般家庭での使用といった情報である。つまり、これらの使用環境に応じて、各家具部品に対する劣化度合は異なる。例えば、実験室では薬品成分等により各家具部品は劣化し易く、また、工場や屋外でも塵埃や油成分、光等により比較的劣化し易く、また、一般的なオフィスや家庭で使用されている場合にはそれほど劣化し難いといえる。そこで、これらの使用環境を考慮して、後述するリユース候補の判断を行うようにするのである。
【００３９】
使用頻度に関する情報は、具体的には、昼間業務等の場合の通常使用頻度や、終日３交替使用頻度といった情報である。つまり、主に昼間業務だけで使用されている場合と、終日３交替使用されている場合とでは、一日内でみても実使用時間が異なっており、各家具部品に対する劣化度合は異なる。そこで、これらの使用頻度を考慮して、リユース候補の判断を行うようにするのである。
【００４０】
ステップＳ３では、使用された家具を回収する。つまり、ユーザーが家具を不要と判断した場合や、リース契約が終了した場合等に、供給管理者が、ユーザーから当該家具を回収する。
【００４１】
ステップＳ４では、各家具部品に対応づけられた使用状況に基づいて、前記家具部品毎にリユース候補となるか否かを決定する。
【００４２】
すなわち、家具部品に対応づけられた使用状況としては、使用期間に関する情報に加えて、使用環境に関する情報及び使用頻度に関する情報を含んでいる。そこで、使用期間に、使用環境に関する情報及び使用頻度に関する情報を加味して、実質的使用相当期間を求める。
【００４３】
具体的な一例を説明すると、使用期間に、使用環境に応じて経験的、実験的、推論的に求められる係数ａと、使用頻度に応じて経験的、実験的、推論的に求められる係数ｂを乗じて実質的使用相当期間を求める。例えば、使用環境に関する係数では、工場や屋外で使用された場合の係数ａとして１よりも大きな数（例えば、値”２”）を予め設定しておき、オフィスや家庭で使用された場合の係数ａとして値”１”を予め設定しておく。また、例えば、通常使用頻度の場合の係数ｂとして、値”１”を予め設定しておき、終日３交替使用頻度の場合の係数ｂとして値”３”を予め設定しておく。そして、使用期間に、使用環境及び使用頻度に応じた上記係数ａ及び係数ｂを乗じることで、実質的使用相当期間を求める。
【００４４】
一方、各家具部品に対して、それぞれ耐用期間が予め定められている。この耐用期間も、経験的、実験的、推論的に求められる。
【００４５】
そして、上記実質的使用相当期間を耐用期間と比較することで、リユース候補とするか否かを決定する。より具体的には、対象となる家具部品の実質的使用相当期間が、耐用期間よりも短い場合、又は、耐用期間から所定の余裕期間を減算した期間よりも短い又は当該期間以下である場合に、当該家具をリユース候補とする。
【００４６】
なお、その他の条件を組み合わせてリユース候補とするか否かを決定してもよい。例えば、実験室で利用された樹脂部品については、薬品等による劣化が激しいと推測できるので、使用期間とは無関係に廃棄処分するようにしてもよい。
【００４７】
なお、使用期間に関する情報だけに基づいて、所定期間以上使用されたと判断されたものを除くようにしてリユース候補を決定するようにしてもよい。また、使用期間に関する情報に加えて、使用環境に関する情報及び使用頻度に関する情報の一方だけを考慮して、リユース候補を決定するようにしてもよい。さらに、他の使用状況に関する情報、例えば、使用された職種や用途（共用の机又は専用の机等）を考慮してリユース候補を決定するようにしてもよい。
【００４８】
また、上記のように使用状況に基づいてリユース候補を決定した後、候補となった各家具部品に対して耐久性診断検査を実施し、その検査結果に基づいて不合格と判断されたものをリユース候補から除外する。
【００４９】
耐久性診断検査としては、汚れや破れ、変形状態や色合等の目視検査、破壊及び変形しない程度に荷重を加えることによる荷重試験、超音波や放射線、音響等を利用した非破壊検査等が行われる。
【００５０】
なお、耐久性診断検査の全部又は一部は、省略されてもよいし、使用状況に基づいてリユース候補を決定する前に行われてもよい。
【００５１】
ステップＳ５では、リユース候補となった各家具部品を利用して、家具をリフォームしたり部品交換を行う等してリユース家具を提供する。すなわち、リユース候補となった各家具部品を適宜組合わせてリユース家具を製造したり、また、リユース候補となった各家具部品と新しい家具部品とを組合わせてリユース家具を製造する。そして、これらの家具をリユース家具としてユーザーに提供する。
【００５２】
この提供の後に、当該家具が使用されると、再度ステップＳ２のように、各家具部品毎に使用状況の管理を行う。そして、再使用され（ステップＳ１１）、再回収（ステップＳ３）された後に、ステップＳ４において、上記と同様に、各家具部品毎にリユース候補が否かが判断される。この際、各家具部品毎に、以前の使用状況、即ち、１回目の使用状況及び２回目の使用状況に基づいて（例えば、１回目の実質的使用相当期間に２回目の実質的使用相当期間を加算して、これを耐用期間と比較することで）、リユース候補か否かが決定される。この際、各家具部品毎に使用状況が管理されているので、１回目のリユース家具提供時に、複数家具の家具部品を組合わせている場合であっても、各家具部品毎に適切なリユース候補の判断が行われる。
【００５３】
＜３．リユース家具の製造管理システム＞
ここでは、リユース家具の製造管理システムの構成例を２つ説明する。一つ目は、使用状況情報を統一して記憶管理するシステムであり、２つ目は、使用状況を各家具部品側で個別に記憶管理するシステムである。
【００５４】
＜３−１．第１のシステム構成例＞
図４は上記リユース家具の製造方法を実施するにあたって用いられる第１のリユース家具の製造管理システムを示すブロック図である。
【００５５】
このリユース家具の製造管理システムは、管理コンピュータ装置３０と、入力部３８と、表示部３９とを備えている。
【００５６】
入力部３８は、管理コンピュータ装置３０に対して、上記識別符号に家具部品の使用状況を対応付けた使用状況情報及び識別符号を入力するための装置である。この入力部３８は、管理コンピュータ装置３０に直接的に接続されたキーボード等であってもよく、或いは、通信網を介して接続された端末装置等であってもよい。
【００５７】
表示部３９は、上記管理コンピュータ装置３０からの表示出力に基づいて、所定の情報を表示する装置である。
【００５８】
管理コンピュータ装置３０は、ＣＰＵやＲＡＭ、ＲＯＭ、ハードディスク装置等を備える一般的なコンピュータであり、予め格納されたプログラムによって次述する諸処理を実行する。この管理コンピュータ装置３０は、使用状況を管理する記憶部３２を備えると共に、登録管理部３４及びリユース候補決定部３６としての機能を備えている。
【００５９】
記憶部３２は、ハードディスク装置等によって構成されており、ここでは、使用状況情報を記憶可能に構成されている。
【００６０】
登録管理部３４は、上記入力部３８を介して入力された情報を、使用状況情報として記憶部３２に記憶させる。また、リユース候補決定部３６は、入力部３８を介して識別符号が入力されると、前記記憶部３２に記憶された使用状況情報から当該入力された識別符号に応じた使用状況を抽出する。そして、その抽出された使用状況に基づいて、前記家具部品毎にリユース候補となるか否かを決定する。そして、その決定結果を上記表示部３９に表示させる。なお、リユース候補決定部３６としての機能が他のコンピュータ装置で実行される等、上記各機能が別々の装置にて処理されてもよい。
【００６１】
図５は記憶部に記憶される使用状況情報の一例を示す図であり、図６はリユース候補決定結果の一例を示す図である。
【００６２】
図５に示す例では、例えば、識別符号（ＩＤ）“００００００１”に対して、使用開始日が“2006年1月1日”、使用頻度が“通常”、使用環境が“事務”として登録されている。また、識別符号（ＩＤ）“００００００２”以下のものに対しても、同様に、使用開始日、使用頻度（“通常”、“3交替”等）、使用環境（“事務”、“工場”、“実験室”、“屋外”等）がそれぞれ登録されている。つまり、入力部３８を通じてこれらの情報を入力することで、使用状況情報が記憶部３２に記憶される。
【００６３】
そして、入力部３８を介して家具部品の識別符号（ＩＤ）が入力されると、前記記憶された使用状況情報に基づいて、上記リユース候補決定部３６が上記したように、使用期間に、使用環境に関する情報及び使用頻度に関する情報を加味して、各リユース候補となるか否かを決定し、表示部３９に表示する。
【００６４】
例えば、図６に示す例では、識別符号（ＩＤ）“００００００１”、“００００００２”、“００００００５”はリユース候補であり、識別符号（ＩＤ）“００００００３”、“００００００４”がリユース候補として不適切である旨表示している。
【００６５】
この表示を見て、作業者等は、ステップＳ５の処理を続けて行う。
【００６６】
＜３−２．第２のシステム構成例＞
図５は上記リユース家具の製造方法を実施するにあたって用いられる第２のリユース家具の製造管理システムを示すブロック図である。
【００６７】
このリユース家具の製造管理システムは、リユース候補決定コンピュータ装置４０と、タグ装置４６とを備えている。
【００６８】
リユース候補決定コンピュータ装置４０は、ＣＰＵやＲＡＭ、ＲＯＭ、ハードディスク装置等を備える一般的なコンピュータであり、予め格納されたプログラムによって次述する諸処理を実行する。このリユース候補決定コンピュータ装置４０は、タグ装置４６に対して情報の書込み及び読出しを行う読書処理部４１と、リユース候補決定部４２としての機能を備えている。また、リユース候補決定コンピュータ装置４０には、キーボード等の入力部４３と、表示部４４とが接続されている。
【００６９】
また、タグ装置４６は、記憶部４７と、当該記憶部４７の読書制御を行う制御部４８とを備えている。記憶部４７は、書換可能に情報を記憶する不揮発メモリである。
【００７０】
このタグ装置４６は、有線式又は無線式の入出力イーターフェースを介して上記リユース候補決定コンピュータ装置４０に着脱自在に接続可能に構成され、リユース候補決定コンピュータ装置４０に接続された状態で、当該リユース候補決定コンピュータ装置４０により情報を書込み及び読出し可能とされている。また、このタグ装置４６は、各家具部品に目立たない程度に取り付け可能な小型形状を有しており、各家具部品に接着剤やネジ止、係合構造等を利用して取り付けられる。
【００７１】
そして、入力部４３を通じて所定の家具部品に関する使用状況を入力すると、当該使用状況がタグ装置４６の記憶部４７に書込まれる。なお、タグ装置４６に対する使用状況の書込みは、他の専用書込装置によって行われる構成であってもよい。このタグ装置４６は、対応する家具部品と一体的となった状態で、家具が提供、使用及び回収、リユース等されるようになっている。
【００７２】
また、家具が回収されると、各家具部品毎に、対応するタグ装置４６の使用状況が読書処理部４１を通じて読込まれる。そして、この使用状況がリユース候補決定部４２に与えられると、当該リユース候補決定部４２は、上記したのと同様の処理により、記憶された使用状況に基づいて、使用期間に、使用環境に関する情報及び使用頻度に関する情報を加味して、リユース候補となるか否かを決定し、表示部４４に表示する。
【００７３】
この表示を見て、作業者等は、ステップＳ５の処理を続けて行う。
【００７４】
以上のように構成されたリユース家具の製造方法及びリユース家具の製造管理システムによると、各家具部品に使用状況を対応づけて管理し、使用された家具を回収すると、各家具部品に対応づけられた使用状況に基づいて、各家具部品毎にリユース候補となるか否かを決定し、リユース候補となった前記各家具部品を利用してリユース家具を提供しているため、各家具部品に対応づけられた使用状況に基づいて各家具部品毎に家具をリユースできるか否かの判断を適切かつ容易に行うことができる。
【００７５】
そして、例えば、各家具部品毎に家具をリユースできるか否かの判断を行うことで、細部部品や表面部品（例えば、机の天板部分や表面を覆う部材、椅子の表面を覆う布材等）について交換することで、家具の基本的構成となる家具部品（机や椅子の骨格となる部品）については長期に亘って使用できる。
【００７６】
また、このように、各家具部品毎に家具をリユースできるか否かを判断して各家具部品毎にリユースに利用することで、各家具部品をそれぞれの使用状況に応じて長期間利用することができ、廃棄物の発生を抑制して環境負荷を軽減し、また、循環型社会の形成に貢献し、もって、環境負荷軽減に貢献して自然環境にやさしくすることができる。
【００７７】
なお、このようなリユース家具の製造方法及びリユース家具の製造管理システムでは、各家具部品に対応付けられた使用状況に基づき、物理的性質に基づいてリユースできるか否かの判断を行うことが前提となっている。例えば、使用期間が長くなれば劣化し易く、また、使用頻度が高ければ劣化し易く、さらに、使用環境等に応じて劣化度合いが異なるという物理的性質に基づく判断が前提となっている。したがって、自然法則を利用した技術的思想として捉え得る。
【００７８】
また、各家具部品毎にリユース候補となるか否かを決定する際に、各家具部品に対して耐久性診断検査を実施し、その検査結果に基づいて不合格と判断されたものとリユース候補から除外するようにしているので、各家具部品に対して個別に劣化程度等を判断して、個別的に不適切な家具を排除して、より適切なリユース家具を製造することができる。
【００７９】
また、リユース候補とするか否かの判断基礎となる使用状況として、使用期間に関する情報を含めることで、当該使用期間に応じて各家具部品をリユースできるか否かの判断を適切かつ容易に行うことができる。
【００８０】
さらに、使用状況として、使用期間に関する情報に加えて、使用環境に関する情報及び使用頻度に関する情報のうち少なくとも一つを含むことで、それらの使用環境や使用頻度を加味して、より適切な判断を行うことができる。
【図面の簡単な説明】
【００８１】
【図１】対象家具の一例である机を示す斜視図である。
【図２】対象家具の一例である椅子を示す斜視図である。
【図３】リユース家具の製造方法全体の流れを示す図である。
【図４】リユース家具の製造管理システムを示すブロック図である。
【図５】記憶部に記憶される使用状況情報の一例を示す図である。
【図６】リユース候補決定結果の一例を示す図である。
【図７】他のリユース家具の製造管理システムを示すブロック図である。
【符号の説明】
【００８２】
１０  机
１２  天板部
１４  脚部
１６  幕板部
２０  椅子
３０  管理コンピュータ装置
３２  記憶部
３４  登録管理部
３６  リユース候補決定部
３８  入力部
３９  表示部
４０  リユース候補決定コンピュータ装置
４１  読書処理部
４２  リユース候補決定部
４３  入力部
４４  表示部
４６  タグ装置
４７  記憶部
【図１】
2008108109.tif 000003
【図２】
2008108109.tif 000004
【図３】
2008108109.tif 000005
【図４】
2008108109.tif 000006
【図５】
2008108109.tif 000007
【図６】
2008108109.tif 000008
【図７】
2008108109.tif 000009